(57)【要約】【課題】くじ券や投票券などの発券システムにおいて、くじ券や投票券から購入者を特定できるようにする。これにより購入者以外への当選金の支払を止めたり、履歴の確認や過去と同じ番号・組合わせの券の発売をサポートしたり、発券済みの券の無効化や再発行ができるようにする。これらによりくじ券や投票券の購入者の利便性の向上を図り、それに伴い本発売方式の利用者の発売機会拡大を図る。【解決手段】くじ券や投票券などの購入者が券を購入する時に、購入者の希望により購入者の生体情報やカードや暗証番号などを用いてくじ券や投票券にカギを付ける。カギは購入者が発券端末にカギのキーにしたい情報（生体情報やカードや暗証番号など）を読ませる事により、発券端末が上位装置と通信してくじ券や投票券に持たせるコード情報を入手し、くじ券や投票券に入手したコード情報を印刷する。【選択図】図１
2014006611.tif 000002
【特許請求の範囲】
【請求項１】
生体情報を読取る認証部と、くじ券や投票券を発券する発券部と、くじ券や投票券を読取る読取部を有する発券端末において、購入者がくじ券や投票券を購入する際に、購入者がくじ券や投票券にカギを付ける否かの選択手段を設け、購入者がカギを付けることを選択した場合に、ネットワークに接続された上位装置と通信を行い、上位装置から対応したコードを入手し、くじ券や投票券の発券時に上位装置から入手したコードを印刷し、当選時の支払時にくじ券や投票券に印刷されているコードからカギの有無を確認し、カギありの場合は購入者の生体情報を認証により読取り、くじ券や投票券に印刷されているコードと一致するか確認を行う手段を設け、購入者以外への当選金の支払を止める事などができるようにくじ券や投票券にカギを付けることを特徴とするくじ券や投票券の発売方式。
【請求項２】
請求項１を元に、読取った生体情報から上位装置にアクセスして、過去に購入した券の履歴の確認や過去と同じ番号・組合わせの券を発売することを特徴とするくじ券や投票券の発売方式。
【請求項３】
請求項１を元に、読取った生体情報から上位装置にアクセスして、発券済みの券の無効化ができることを特徴とするくじ券や投票券の発売方式。
【請求項４】
請求項１を元に、読取った生体情報から上位装置にアクセスして、発券済みの券の再発行ができることを特徴とするくじ券や投票券の発売方式。
【請求項５】
請求項１を元に、生体情報を読取る認証部の代わりにカードを読取るためのカードリーダ部を有した発券端末において、生体情報の代わりにカードなどの媒体を使用してくじ券や投票券にカギを付けることを特徴とするくじ券や投票券の発売方式。
【請求項６】
請求項１を元に、生体情報を読取る認証部の代わりに暗証入力を行う暗証入力部を有した発券端末において、生体情報の代わりに暗証番号を使用してくじ券や投票券にカギを付けることを特徴とするくじ券や投票券の発売方式。
【請求項７】
請求項１にくじ券や投票券の券固有の情報を読取る券情報読取部を有した発券端末において、くじ券や投票券の券固有の情報を使用して、券に埋め込んだチップや券の固有情報を用いてくじ券や投票券の偽造防止をすることを特徴とするくじ券や投票券の発売方式。
【発明の詳細な説明】
【技術分野】
【０００１】
本発明は、くじ券や投票券などの発券システムにおいて、発券端末でくじ券や投票券の購入者自身が持っている情報や、発券する券自体が持っている情報を読取り、ネットワークに接続された上位装置と通信して得られる情報を、発券される券面に印刷したり上位装置で情報を記憶したりして、くじ券や投票券にカギを付けて発売する方式に関する。
【背景技術】
【０００２】
宝くじや公営競技では、くじ券や投票券の購入者が当選時に当り券と当選金を引き換える仕組みとなっている。しかし、換金に持ち込まれた当り券が誰のものであるかの特定はできず、購入者が当り券を紛失したり盗難されたりした場合に、不正換金をさせないように購入者が当り券の当選金への換金を止めたいと考えても当選金の支払を止めるようなことはできなかった。そこで購入者自身の持っている情報などを元に上位装置からコードを得て、そのコード情報をくじ券や投票券に印刷したり上位装置に情報を記憶したりすることにより、カギ付きのくじ券を実現することを考えた。本発明を利用すれば、当り券が購入者本人のものか確認したり、当り券の購入者本人しか換金ができないように予めくじ券や投票券にカギをかけることが可能となる。なお本発明に関連する先行技術文献としては、購入者の固有情報と購入時の情報等を加味する方式で番号を選択する技術が提案されている（特許文献１参照）。
【先行技術文献】
【特許文献】
【０００３】
【特許文献１】特開２００６−８５３５８号公報
【発明の概要】
【発明が解決しようとする課題】
【０００４】
宝くじや公営競技では、くじ券や投票券の購入者が当選時に当り券と当選金を引き換える仕組みとなっているが、従来の技術では、くじ券や投票券から購入者を特定できないため当り券が購入者本人のものであるのか判定ができなかった。そこでくじ券や投票券の購入者自身が持っている情報を用いてくじ券や投票券から購入者を特定するという課題が生じた。
【０００５】
例えば、従来の技術ではくじ券や投票券から購入者を特定できないため、当り券を紛失したり盗難されたりした場合でも、くじ券や投票券の購入者は不正換金を防止するために購入者以外の換金を一時的に止めたり、くじ券や投票券の無効化や再発行をすることはできなかったが、本発明を利用すれば、当り券の当選金への換金を止める事や券の無効化や再発行をすることが実現可能となる。本発明の目的は、くじ券や投票券にカギを付けて発売する方式を提供することにある。
【課題を解決するための手段】
【０００６】
前述の目的を達成するために、本発明ではくじ券・投票券発券端末（以降、くじ券・投票券をくじ券と記す。また、くじ券・投票券発券端末を発券端末と記す。）と上位装置がネットワークで接続される環境において、発券端末は宝くじ売り場や公営競技場の投票所等に設置され、認証部、発券部、読取部、ネットワーク接続部、そしてこれら各部を制御する制御部などで構成する。また発券端末には必要により画面表示を行う表示部や、印刷出力をするレシート部や、カードを読取るカードリーダ部や、暗証番号を入力する暗証入力部や、発券する券に埋め込まれたチップ情報や券自体の紙紋などの券の固有情報を読取る券情報読取部を備える。上位装置は記憶部、演算部、ネットワーク接続部、そしてこれら各部を制御する制御部などで構成する。上位装置の記憶部のデータ構造はくじ券の発売記録などを記憶するログ領域とカギ付きくじ券をユーザ毎に管理するユーザ毎の領域などから構成する。記憶部には必要により無効なくじ券を管理する無効ｔｂｌ領域などを備える。上述のような構成とすることにより、くじ券の購入者（以降、購入者と記す。）がくじ券にカギを付けるか否かの選択手段を設け、購入者がカギを付けることを選択した場合は、ネットワークに接続された上位装置と通信を行い、上位装置から購入者の生態情報とリンクしたコードを入手し、くじ券の発券時に上位装置から入手したコードを印刷し、当選時の支払時に、くじ券に印刷されているコードからカギの有無を確認し、カギありの場合は購入者の生体情報を認証により読取り、くじ券に印刷されているコードと一致するか確認を行う手段を設ける事により、購入者以外への当選金の支払を止める事などを実現するためのカギをくじ券に付けることが可能となる。
【発明の効果】
【０００７】
本発明によればくじ券の購入者を特定する事ができ、カギ付きのくじ券発売方式を実現することができる。くじ券にカギを付ける事ができるため購入者以外の不正換金などを防止することができる。
【図面の簡単な説明】
【０００８】
【図１】システムの構成図（例）である。
【図２】くじ券・投票券発券端末と上位装置の内部構成図（例）である。
【図３】くじ券・投票券の購入のフロー（例）である。
【図４】当選くじ券・当選投票券の換金のフロー（例）である。
【図５】上位装置の記憶部のデータ構造図（例）である。
【図６】購入履歴確認と過去情報からのくじ券・投票券購入のフロー（例）である。
【図７】くじ券・投票券の無効化フロー（例）である。
【図８】くじ券・投票券無効化を適用した場合のフロー（例）である。
【図９ａ】くじ券・投票券の再発行フロー（例）である。
【図９ｂ】同じく、くじ券・投票券の再発行フロー（例）である。
【図１０】券固有の情報を使用したくじ券・投票券の購入のフロー（例）である。
【図１１】券固有の情報を使用した場合の換金のフロー（例）である。
【発明を実施するための形態】
【０００９】
以下図１から図１１を参照して本発明の一実施形態を説明する。本実施形態は宝くじの発売システムや公営競技などの投票券発売システムに採用される発売方式に関する。
【００１０】
先ず図１はシステムの構成（例）で発券端末１とネットワーク２を介して接続された上位装置３との接続図である。図２は発券端末と上位装置の内部構成図（例）である。本接続図および内部構成図を用いて概略構造を説明する。
【００１１】
発券端末１は宝くじ売り場や投票所等に設置され、くじ券の購入者の依頼により窓口の操作員の操作によってくじ券の発券を行う発券端末であり、ネットワーク２により上位装置３の回線接続部３０３に接続されている。発券端末は認証部１０１、発券部１０２、読取部１０３、ネットワーク接続部１０４、そしてこれら各部を制御する制御部１０５などで構成されている。制御部は、ＣＰＵ、メモリ等のハード構成と、プログラム、データ等のソフト構成とから成り、各種処理、取引を制御する（発券端末１の各部１０１〜１０５を以下文中では標準構成と呼ぶこととする）。また発券端末は必要により画面表示を行う表示部１０６や、印刷出力をするレシート部１０７や、カードを読取るカードリーダ部１０８や、暗証番号を入力する暗証入力部１０９や、発券する券に埋め込まれたチップ情報や券自体の紙紋などの券の固有情報を読取る券情報読取部１１０を備える。
【００１２】
以下に発券端末１の各部位の説明を行う。認証部１０１は生体情報を読取る機能をもっており、主にくじ券の購入者の生体情報を読取る部位である。発券部１０２は主にくじ券を印刷発券する部位である。読取部１０３は発券されたくじ券を読取る部位である。ネットワーク接続部１０４は発券端末がネットワークに接続するための部位である。制御部１０５は発券端末全体をコントロールする部位である。表示部１０６はくじ券の発売窓口の発売員やくじ券の購入者への画面表示を行う部位である。レシート部１０７はくじ券の発売窓口向けの履歴ジャーナルやくじ券の購入者向けの印刷出力を行う部位である。カードリーダ部１０８はくじ券の発売窓口の発売員やくじ券の購入者のＩＤ管理を行う部位である。暗証入力部１０９はくじ券の発売窓口の発売員やくじ券の購入者が暗証番号を入力する部位である。券情報読取部１１０は発券する券に埋め込まれたチップ情報や券自体の紙紋などの券の固有情報を読取る部位である。カードリーダ部１０８および券情報読取部１１０は読取り機能以外に書込み機能を持っていてもよい。
【００１３】
上位装置は演算部３０１、記憶部３０２、ネットワーク接続部３０３、制御部３０４を備える。上位装置３の各部位は以下の通りである。演算部３０１はネットワーク２に接続された発券端末１との間で発生するコードの生成を行う部位である。記憶部３０２は発券端末１との間でコード生成した内容を記憶する部位である。ネットワーク接続部３０３は上位装置がネットワークに接続するための部位である。制御部３０４は上位装置全体をコントロールする部位である。
【００１４】
次にくじ券の購入者が本発明のカギ付きくじ券・投票券の発売方式を使って取引を行う場合のフローを図３、図４を用いて説明する。図３ではくじ券を購入する場合のフロー（例）を示す。くじ券の購入者が券の購入を希望すると（ｆ３０１）、くじ券の発売窓口ではくじ券の購入者にくじ券にカギを付ける事を希望するか確認し（ｆ３０２）、くじ券にカギを付ける事を希望しない場合は投票券のくじ券の購入者の生体情報は必要とせずに次工程（ｆ３０４）に移行する。くじ券にカギを付ける事を希望する場合はくじ券の購入者の生体情報を発券端末１の認証部１０１が読取り（ｆ３０３）次工程（ｆ３０４）に移行する。発券端末１はくじ券の購入者が希望する券の情報と、発券端末１の認証部１０１が読取った情報を元にネットワーク２に接続された上位装置３と通信を行い、くじ券に持たせるコード情報を上位装置３より入手する（ｆ３０４）。発券端末１は上位装置３から入手したコード情報を発券部１０２によりくじ券に印刷し発券する（ｆ３０５）。図４では、当選くじ券・当選投票券の換金のフロー（例）を示す。くじ券の購入者が券の換金を希望すると（ｆ４０１）、支払窓口では対象のくじ券を発券端末１の読取部１０３で読み込む（ｆ４０２）。投票券発券端末１はネットワーク接続部１０４によりネットワーク２に接続された上位装置３と通信を行い（ｆ４０３）、対象のくじ券が当選しているか判定を行う（ｆ４０４）。対象のくじ券が当選していなければ当選金は支払われず処理を終了する（ｆ４０９）。対象のくじ券が当選していればくじ券に印刷されているコード情報からカギが付いているか確認する（ｆ４０５）。くじ券にカギが付いていなければくじ券の購入者に当選金が支払われる（ｆ４１０）。くじ券にカギが付いている場合はくじ券の購入者の生体情報を発券端末１の認証部１０１が読取り（ｆ４０６）、券に持たせたコード情報と認証部１０１で読取った情報を元に発券端末１のネットワーク接続部１０４からネットワーク２に接続された上位装置３と通信を行い（ｆ４０７）、コード情報と読取った生体情報が一致するか確認する（ｆ４０８）。コード情報と読取った生体情報が一致しない場合は当選金は支払われず処理を終了する（ｆ４０９）。コード情報と読取った生体情報が一致する場合はくじ券の購入者に当選金が支払われる（ｆ４１０）。
【００１５】
図５では上位装置の記憶部のデータ構造（例）を示す。上位装置３には記憶部３０１を備えており、その記憶部データ構造はくじ券の発売記録などを記憶するログ領域ｓ５０１とカギ付きくじ券をユーザ毎に管理するユーザ毎の領域ｓ５０２などから構成される。記憶部には無効なくじ券を管理する無効ｔｂｌ領域ｓ５０３などがあってもよい。
【００１６】
読取った生体情報から上位装置にアクセスして過去に購入した券の履歴の確認や、過去と同じ番号・組合わせの券を発売する手順を図６の購入履歴確認と過去情報からのくじ券購入のフロー（例）により示す。まず、くじ券の購入者が購入履歴の確認や過去情報からくじ券購入を希望すると（ｆ６０１）、くじ券の購入者の生体情報を発券端末１の認証部１０１が読みとり（ｆ６０２）、発券端末１がネットワーク接続部１０４により上位装置３と通信し、上位装置３の記憶部３０２にあるユーザ毎の領域（ｓ５０２）の情報からデータを生成して購入履歴の確認や過去情報からくじ券候補情報を入手する（ｆ６０３）。上位装置３から得た情報から、発券端末１は購入履歴の確認や過去情報からくじ券購入情報を表示部１０６に表示又はレシート部１０７などに印刷する（ｆ６０４）。くじ券の発売窓口ではくじ券の購入者が発券を希望するか確認し（ｆ６０５）、希望の場合は発券端末１がネットワーク接続部１０４により上位装置３と通信し、くじ券に持たせるコード情報を入手する（ｆ６０６）。発券端末１はくじ券に上位装置３から入手したコード情報を発券部１０２により印刷し発券する（ｆ６０7）。
【００１７】
発券済みの券を無効化する手順を図７のくじ券・投票券の無効化フロー（例）により示す。まず、くじ券の購入者がくじ券の無効化を希望すると（ｆ７０１）、くじ券の購入者の生体情報を発券端末１の認証部１０１が読みとり（ｆ７０２）、発券端末１がネットワーク接続部１０４により上位装置３と通信し、上位装置３でくじ券の無効化処理を実施する（ｆ７０３）。ｆ７０３の時の上位装置３の手順は後述する。発券端末１は上位装置３から入手した処理結果を表示部１０６に表示又はレシート部１０７などに印刷する（ｆ７０４）。ｆ７０３の時の上位装置３の手順は、発券端末１からの要求で上位装置３の記憶部３０２にある無効化要求のユーザ毎の領域（ｓ５０２）の情報を確認し（ｆ７１１）、無効化要求者とユーザ毎の領域（ｓ５０２）の情報が一致するか確認する（ｆ７１２）。無効化要求者とユーザ毎の領域（ｓ５０２）の情報が一致しない場合は無効化処理に失敗したことを発券端末１に回答する（ｆ７１５）。無効化要求者とユーザ毎の領域（ｓ５０２）の情報が一致する場合は、対象のくじ券情報を上位装置３の記憶部３０２にある無効ｔｂｌ領域（ｓ５０３）に登録し（ｆ７１３）、発券端末１に無効化処理が正常終了したことを回答する（ｆ７１４）。
【００１８】
くじ券無効化を適用した場合の当選くじ券・当選投票券の換金の処理は、図４の当選くじ券・当選投票券の換金のフロー（例）のｆ４０３の発券端末１が上位装置３と通信を行う際に、上位端末３で図８のくじ券無効化を適用した場合のフロー（例）を追加することにより実現できる。まず、発券端末１からの要求で上位装置３は当選か否かを確認する処理を開始する（ｆ８０１）。上位装置３は記憶部３０２にある無効ｔｂｌ領域（ｓ５０３）の情報と一致するか確認する（ｆ８０２）。無効ｔｂｌ領域（ｓ５０３）の情報と一致する場合は対象のくじ券は無効であることを発券端末１に回答して（ｆ８０４）終了し、無効ｔｂｌ領域（ｓ５０３）の情報と一致しない場合は対象のくじ券は当選しているかの確認処理を実施する（ｆ８０３）。対象のくじ券は当選していない場合は対象のくじ券は当選でないことを発券端末１に回答し（ｆ８０５）処理を終了する。対象のくじ券は当選している場合は対象のくじ券が当選であることを発券端末１に回答し（ｆ８０６）処理を終了する。
【００１９】
発券済みの券を再発行する手順を図9a、図９bのくじ券・投票券の再発行フロー（例）に示す。まず、くじ券の購入者が購入済みのくじ券の再発行を希望すると（ｆ９０１）、くじ券の購入者の生体情報を発券端末１の認証部１０１が読みとり（ｆ９０２）、発券端末１がネットワーク接続部１０４により上位装置３と通信し、上位装置３でくじ券の再発行処理を実施する（ｆ９０３）。ｆ９０３の時の上位装置３の手順は後述する。発券端末１は上位装置３から入手した処理結果を表示部１０６に表示又はレシート部１０７などに印刷する（ｆ９０４）。次に発券端末１では上位装置３での再発行処理正常完了および正常に新たなコード情報を入手できたか確認する（ｆ９０５）。確認が正常でない場合は、発券端末１はくじ券の再発行に失敗した処理を実施し（ｆ９０６）、確認が正常であった場合は発券端末１は上位装置３から得た新たなコード情報を発券部１０２より印刷してくじ券を再発行処理を実施する（ｆ９０７）。ｆ９０３の時の上位装置３の手順は、発券端末１からの要求で上位装置３の記憶部３０２にある再発行要求のユーザ毎の領域（ｓ５０２）の情報を確認（ｆ９１１）し、再発行要求者とユーザ毎の領域（ｓ５０２）の情報が一致するか確認する（ｆ９１２）。再発行無効化要求者とユーザ毎の領域（ｓ５０２）の情報が一致しない場合は再発行処理に失敗したことを発券端末１に回答する（ｆ９１５）。再発行要求者とユーザ毎の領域（ｓ５０２）の情報が一致する場合は、対象のくじ券情報を上位装置３の記憶部３０２にある無効ｔｂｌ領域（ｓ５０３）に登録し新たなコード情報を生成し（ｆ９１３）、発券端末１に無効化処理が正常終了したことと新たなコード情報を発券端末１に回答する（ｆ９１４）。
【００２０】
ここまでは生体情報を用いたカギ付きくじ券・投票券の発売方式を説明したが、生体情報の代わりにカードなどの媒体や暗証番号を利用する方法について以降に記す。
【００２１】
まず、生体情報の代わりにカードなどの媒体を使用してくじ券にカギを付ける手順について示す。システムの構成は発券端末１の標準構成から認証部１０１の代わりにカードを読取るためのカードリーダ部１０８を用いて構成されている。次にくじ券の購入者がカードを用いたカギ付きくじ券発売方式で取引を行う場合のフローを図３、図４を用いて生体情報を用いた場合との相違点について説明する。図３のｆ３０３でくじ券の購入者の生体情報を発券端末１の認証部１０１が読取っているがカードなどの媒体を使用した方式では、認証部１０１での処理の代わりにカードリーダ部１０８でカード読取り処理を行う。図４のｆ４０６ではくじ券の購入者の生体情報を発券端末１の認証部１０１が読取っているがカードなどの媒体を使用した方式では、認証部１０１での処理の代わりにカードリーダ部１０８でカード読取り処理を行う。
【００２２】
次に生体情報の代わりに暗証番号などを使用してくじ券にカギを付ける手順について示す。システムの構成は発券端末１の標準構成から認証部１０１の代わりに暗証番号を入力するための暗証入力部１０９を用いて構成されている。次にくじ券の購入者が暗証番号を用いたカギ付きくじ券発売方式で取引を行う場合のフローを図３、図４を用いて生体情報を用いた場合との相違点について示す。図３のｆ３０３でくじ券の購入者の生体情報を発券端末１の認証部１０１が読取っているが暗証番号などの入力を使用した方式では、認証部１０１での処理の代わりに暗証入力部１０９で暗証入力処理を行う。図４のｆ４０６ではくじ券の購入者の生体情報を発券端末１の認証部１０１が読取っているが暗証番号などの入力を使用した方式では、認証部１０１での処理の代わりに暗証入力部１０９で暗証入力処理を行う。
【００２３】
ここからはくじ券の券固有の情報を使用してくじ券の偽造防止手順について示す。システムの構成は発券端末１の標準構成に券に埋め込んだチップや券の固有情報を読取る券情報読取部１１０を追加して構成される。次にくじ券の券固有の情報を使用して取引を行う場合のフローを図１０、図１１を用いて説明する。図１０に券固有の情報を使用したくじ券・投票券の購入のフロー（例）を示す。まず、くじ券の購入者がくじ券の購入を希望すると（ｆａ０１）、発券端末１の券情報読取部１１０が発券するくじ券のチップ情報または券の固有情報（紙紋などの情報）を読取り（ｆａ０２）、発券端末１はくじ券の購入者が希望する券の情報と、発券端末１の券情報読取部１１０が読取った情報を元にネットワーク２に接続された上位装置３と通信を行い、上位装置３は記憶部３０２のユーザ領域ｓ５０２などにくじ券のチップ情報または券の固有情報を登録する（ｆａ０３）。発券端末１は上位装置３から入手したコード情報を発券部１０２によりくじ券に印刷し発券する（ｆａ０４）。図１１では、券固有の情報を使用した場合の換金のフロー（例）を示す。くじ券の購入者が券の換金を希望すると（ｆｂ０１）、支払窓口では対象のくじ券を発券端末１の読取部１０３で読み込む（ｆｂ０２）。発券端末１はネットワーク接続部１０４によりネットワーク２に接続された上位装置３と通信を行い（ｆｂ０３）、対象のくじ券が当選しているか判定を行う（ｆｂ０４）。対象のくじ券が当選していなければ当選金は支払われず処理を終了する（ｆｂ０８）。対象のくじ券が当選していれば、発券端末１は券情報読取部１１０でくじ券の券固有情報を読みとる（ｆｂ０５）。ｆｂ０５の処理はｆｂ０２の処理時に同時に実施してもよい。券情報読取部１１０で読取った情報を元に発券端末１のネットワーク接続部１０４からネットワーク２に接続された上位装置３と通信を行い、上位装置３の記憶部３０２にあるユーザ毎の領域ｓ５０２の情報と発券端末１の券情報読取部１１０末で読取った券固有情報が一致するか確認し（ｆｂ０６）、カギ解除（券固有情報が一致）か確認する（ｆｂ０７）。カギ解除でない場合は当選金は支払われず処理を終了する（ｆｂ０８）。カギ解除の場合はくじ券の購入者に当選金が支払われる（ｆｂ０９）。
【００２４】
ここでは、有人発売のくじ券発売方式を例に挙げているが、くじ券の購入者が自分で直接操作を行う自動機を使ったくじ券発売方式であってもよい。
【００２５】
ここでは、上位装置が１つの例であるが、複数あるようなシステム構成であってもよい。
【００２６】
ここでは、発券端末で発売と支払時の機能の両方を保持している端末の場合を説明したが、発売と支払時の機能がそれぞれ独立した端末を使用したシステムであってもよい。
【００２７】
ここでは、コード情報を券面に印刷している例を示したが、磁気やＩＣなどをつかってくじ券にコード情報を保持する方式であってもよい。
【００２８】
ここで説明した各構成部位は本体に内蔵されていてもよいし、構成部位が本体の外部にあって有線や無線で接続されていてもよい。
【符号の説明】
【００２９】
１…くじ券・投票券発券端末（発券端末）、２…ネットワーク、３…上位装置、１０１…認証部、１０２…発券部、１０３…読取部、１０４…ネットワーク接続部、１０５…制御部、１０６…表示部、１０７…レシート部、１０８…カードリーダ部、１０９…暗証入力部、１１０…券情報読取部、３０１…演算部、３０２…記憶部、３０３…ネットワーク接続部、３０４…制御部、ｓ５０１…ログ領域、ｓ５０２…ユーザ毎の領域、ｓ５０３…無効ｔｂｌ領域。
【図１】
2014006611.tif 000003
【図２】
2014006611.tif 000004
【図３】
2014006611.tif 000005
【図４】
2014006611.tif 000006
【図５】
2014006611.tif 000007
【図６】
2014006611.tif 000008
【図７】
2014006611.tif 000009
【図８】
2014006611.tif 000010
【図９ａ】
2014006611.tif 000011
【図９ｂ】
2014006611.tif 000012
【図１０】
2014006611.tif 000013
【図１１】
2014006611.tif 000014